(57)【要約】【課題】心電波形の測定の際における電極と生体との接触状態を確認可能な携帯型心電計および心電波形表示システムを提供すること。【解決手段】携帯型心電計に設けられた正電極，負電極，不関電極は、所定の位置に突出して設けられ、押下することにより、装置本体側に移動可能である。携帯型心電計は、このような可動電極が装置本体側に押下されたか否かを検知するための接触検知部を含み、接触検知部からの検知信号に基づき、可動電極の生体への接触状態を判別する（ステップＳ８）。そして、測定処理の結果得られた心電波形情報と、判別結果に基づく接触状態情報とを関連付けてフラッシュメモリに記憶する（ステップＳ１６，Ｓ１８）。【選択図】図７
2009118999.tif 000002
【特許請求の範囲】
【請求項１】
生体から検知された生体信号を処理するための処理回路を含む筐体と、
前記処理回路と電気的に接続され、前記筐体の表面の所定の位置それぞれに設けられた複数の電極とを備え、
前記複数の電極は、前記所定の位置に突出して設けられ、押下することにより、前記筐体側に移動可能な少なくとも１つの可動電極を含み、
前記可動電極が前記筐体側に押下されたか否かを検知するための検知手段と、
前記検知手段からの検知信号に基づき、前記可動電極の前記生体への接触状態を判別するための判別手段と、
前記処理回路による処理の結果得られた心電波形情報と、前記判別手段による判別結果に基づく接触状態情報とを関連付けて記憶するための記憶手段とを備える、携帯型心電計。
【請求項２】
前記記憶手段に記憶された、前記接触状態情報と関連付けられた前記心電波形情報を出力するための出力手段をさらに備える、請求項１に記載の携帯型心電計。
【請求項３】
前記心電波形情報は、時系列の複数の心電波形データを含み、
前記判別手段は、定期的に前記可動電極の前記生体への接触／非接触を判別し、
前記接触状態情報として前記複数の接触／非接触のデータを、前記複数の心電波形データそれぞれと対応付けて前記記憶手段に格納するための格納処理手段をさらに備える、請求項２に記載の携帯型心電計。
【請求項４】
前記判別手段は、定期的に前記可動電極の前記生体への接触／非接触を判別し、
前記生体信号の測定が行なわれている期間に、前記判別手段により接触のみ判別された場合に、接触を示すデータを前記接触状態情報として前記記憶手段に格納し、前記判別手段により非接触と判別された場合には、非接触を示すデータを前記接触状態情報として前記記憶手段に格納するための格納処理手段をさらに備える、請求項２に記載の携帯型心電計。
【請求項５】
前記出力手段は、前記接触状態情報と関連付けて、前記心電波形情報に基づく心電波形を表示するための表示手段を含む、請求項２に記載の携帯型心電計。
【請求項６】
前記判別手段は、定期的に前記可動電極の前記生体への接触／非接触を判別し、
前記判別手段により接触と判別された場合に、前記処理回路による前記生体信号の測定処理を開始する、請求項１に記載の携帯型心電計。
【請求項７】
前記複数の電極は、前記測定処理に用いられる２つの測定電極を含み、
各前記測定電極は前記可動電極である、請求項６に記載の携帯型心電計。
【請求項８】
前記検知手段は、各前記測定電極に対応して設けられる、請求項７に記載の携帯型心電計。
【請求項９】
前記判別手段は、定期的に前記可動電極の前記生体への接触／非接触を判別し、
前記判別手段により非接触と判別された場合に、前記生体に非接触である旨報知するための報知手段をさらに備える、請求項１に記載の携帯型心電計。
【請求項１０】
前記報知手段は、外部に、光、振動および音のうちいずれかを出力する、請求項９に記載の携帯型心電計。
【請求項１１】
前記検知手段は、スイッチ、近接センサ、タッチセンサ、光電スイッチ、距離センサ、および荷重センサのうちいずれかを含む、請求項１に記載の携帯型心電計。
【請求項１２】
生体の心電波形を測定するための携帯型心電計と、前記携帯型心電計において測定された前記心電波形を表示するための表示装置とを備えた心電波形表示システムであって、
前記携帯型心電計は、
前記生体から検知された生体信号を処理するための処理回路を含む筐体と、
前記処理回路と電気的に接続され、前記筐体の表面の所定の位置それぞれに設けられた複数の電極とを含み、
前記複数の電極は、前記所定の位置に突出して設けられ、押下することにより、前記筐体側に移動可能な少なくとも１つの可動電極を有し、
前記可動電極が前記筐体側に押下されたか否かを検知するための検知手段と、
前記検知手段からの検知信号に基づき、前記可動電極の前記生体への接触状態を判別するための判別手段と、
前記処理回路による処理の結果得られた心電波形情報と、前記判別手段による判別結果に基づく接触状態情報とを関連付けて記憶するための第１記憶手段とをさらに含み、
前記表示装置は、
前記第１記憶手段に記憶された前記接触状態情報と関連付けられた前記心電波形情報を受け取るためのインターフェイス部と、
前記インターフェイス部を介して受取った、前記接触状態情報と関連付けられた前記心電波形情報を格納する第２記憶手段と、
前記第２記憶手段に記憶された前記心電波形情報に基づく心電波形を前記接触状態情報と関連付けて表示するための表示手段とを含む、心電波形表示システム。
【発明の詳細な説明】
【技術分野】
【０００１】
本発明は、心電計および心電波形表示システムに関し、特に、持ち運びが可能で心電波形を容易に測定・記憶することのできる携帯型心電計、および、そのような携帯型心電計と表示装置とを備えた心電波形表示システムに関する。
【背景技術】
【０００２】
ゲルや粘着材を使わないで電極を生体に接触させて心電波形を測定可能な心電計として、たとえば以下に示すようなものがある。
【０００３】
たとえば特許文献１には、被験者の胸部に保持される本体ケースと、本体ケースから両側方に延出するアーム部とを備えたＴ字型の心電計が開示されており、アーム部の両端と、本体ケースの上部（アーム部が設けられた位置と反対側）とにそれぞれ３つの電極が配置されている。
【０００４】
また、特許文献２には、筐体の前端面の湾曲面に設けたプラス電極をその湾曲面に沿って湾曲させた携帯型生体データ測定装置が開示されている。
【０００５】
さらに、特許文献３には、被験者が筐体の長手方向の一端の把持部を右手で持ち、他方端の端面を身体の一部に押し当てて記録する携帯型心電計が開示されている。
【０００６】
上記のような携帯型心電計で測定された心電波形情報は、後に専門医による診断等に用いられる。
【特許文献１】特開２００４−２０９０２４号公報
【特許文献２】特開２００６−２４７４０６号公報
【特許文献３】特開２００５−４０１８７号公報
【発明の開示】
【発明が解決しようとする課題】
【０００７】
上記のような従来の携帯型心電計においては、電極にゲルや粘着材を使っていないため使い勝手やリユース性は良いものの、電極と生体との間の接触状態を一定に保つことが困難な場合がある。そのため、電極が生体からはなれてしまった場合でも気付かずに測定を続けてしまい、結果として後の診断に活用できる心電波形が記録できない恐れがある。
【０００８】
本発明は、上記のような問題を解決するためになされたものであって、その目的は、心電波形の測定の際における電極と生体との接触状態を確認可能な携帯型心電計および心電波形表示システムを提供することである。
【課題を解決するための手段】
【０００９】
この発明のある局面に従う携帯型心電計は、生体から検知された生体信号を処理するための処理回路を含む筐体と、処理回路と電気的に接続され、筐体の表面の所定の位置それぞれに設けられた複数の電極とを備え、複数の電極は、所定の位置に突出して設けられ、押下することにより、筐体側に移動可能な少なくとも１つの可動電極を含み、可動電極が筐体側に押下されたか否かを検知するための検知手段と、検知手段からの検知信号に基づき、可動電極の生体への接触状態を判別するための判別手段と、処理回路による処理の結果得られた心電波形情報と、判別手段による判別結果に基づく接触状態情報とを関連付けて記憶するための記憶手段とを備える。
【００１０】
好ましくは、記憶手段に記憶された、接触状態情報と関連付けられた心電波形情報を出力するための出力手段をさらに備える。
【００１１】
好ましくは、心電波形情報は、時系列の複数の心電波形データを含み、判別手段は、定期的に可動電極の生体への接触／非接触を判別し、接触状態情報として複数の接触／非接触のデータを、複数の心電波形データそれぞれと対応付けて記憶手段に格納するための格納処理手段をさらに備える。
【００１２】
あるいは、判別手段は、定期的に可動電極の生体への接触／非接触を判別し、生体信号の測定が行なわれている期間に、判別手段により接触のみ判別された場合に、接触を示すデータを接触状態情報として記憶手段に格納し、判別手段により非接触と判別された場合には、非接触を示すデータを接触状態情報として記憶手段に格納するための格納処理手段をさらに備えることが望ましい。
【００１３】
好ましくは、出力手段は、接触状態情報と関連付けて、心電波形情報に基づく心電波形を表示するための表示手段を含む。
【００１４】
好ましくは、判別手段は、定期的に可動電極の前記生体への接触／非接触を判別し、判別手段により接触と判別された場合に、処理回路による生体信号の測定処理を開始する。
【００１５】
好ましくは、複数の電極は、測定処理に用いられる２つの測定電極を含み、各測定電極は可動電極である。
【００１６】
好ましくは、検知手段は、各測定電極に対応して設けられる。
好ましくは、判別手段は、定期的に可動電極の生体への接触／非接触を判別し、判別手段により非接触と判別された場合に、生体に非接触である旨報知するための報知手段をさらに備える。
【００１７】
好ましくは、報知手段は、外部に、光、振動および音のうちいずれかを出力する。
好ましくは、検知手段は、スイッチ、近接センサ、タッチセンサ、光電スイッチ、距離センサ、および荷重センサのうちいずれかを含む。
【００１８】
この発明の他の局面に従う心電波形表示システムは、生体の心電波形を測定するための携帯型心電計と、携帯型心電計において測定された心電波形を表示するための表示装置とを備えた心電波形表示システムであって、携帯型心電計は、生体から検知された生体信号を処理するための処理回路を含む筐体と、処理回路と電気的に接続され、筐体の表面の所定の位置それぞれに設けられた複数の電極とを含み、複数の電極は、所定の位置に突出して設けられ、押下することにより、筐体側に移動可能な少なくとも１つの可動電極を有し、可動電極が筐体側に押下されたか否かを検知するための検知手段と、検知手段からの検知信号に基づき、可動電極の生体への接触状態を判別するための判別手段と、処理回路による処理の結果得られた心電波形情報と、判別手段による判別結果に基づく接触状態情報とを関連付けて記憶するための第１記憶手段とをさらに含み、表示装置は、第１記憶手段に記憶された接触状態情報と関連付けられた心電波形情報を受け取るためのインターフェイス部と、インターフェイス部を介して受取った、接触状態情報と関連付けられた心電波形情報を格納する第２記憶手段と、第２記憶手段に記憶された心電波形情報に基づく心電波形を接触状態情報と関連付けて表示するための表示手段とを含む。
【発明の効果】
【００１９】
本発明によると、電極と生体との接触状態を表す接触状態情報が、測定された心電波形情報と関連付けられて記憶される。その結果、後に、心電波形が測定された際における電極と生体との接触状態を確認することができる。
【発明を実施するための最良の形態】
【００２０】
本発明の実施の形態について図面を参照しながら詳細に説明する。なお、図中同一または相当部分には同一符号を付してその説明は繰返さない。
【００２１】
［実施の形態１］
（外観について）
まず、図１および図２を参照して、本発明の実施の形態１における携帯型心電計１００の外観構造について説明する。
【００２２】
図１および図２は、本実施の形態に従う携帯型心電計１００の概略斜視図である。
図１および図２を参照して、本実施の形態に従う携帯型心電計１００は、携帯性に優れたものとなるように、片手で保持することが可能な大きさおよび重さにまで小型軽量化されている。携帯型心電計１００は、扁平かつ細長の略直方体形状の外形を有する装置本体１１０を備えており、その外表面に表示部、操作部および複数の電極などが配置されている。
【００２３】
装置本体１１０の正面１１１の長手方向（図中矢印Ａ方向）の一方端側には、携帯型心電計１００の各種メニューを表示する指示を入力するためのメニューボタン１４２が設けられており、他方端側には、表示部１４８が設けられている。この表示部１４８は、たとえば液晶ディスプレイなどによって構成され、測定結果などを表示する。測定結果は、たとえば図１に示すように心電波形や数値データとして表示される。
【００２４】
装置本体１１０の上面１１３の所定位置には、電源ボタン１４１が配置されている。電源ボタン１４１は、携帯型心電計１００のＯＮ／ＯＦＦを操作する操作ボタンである。また、装置本体１１０の上面１１３の所定位置には、蓋体である開閉カバー１３０が設けられている。この開閉カバー１３０は、外部記憶媒体１３２が装着されるスロットを閉状態において覆い隠すように設けられたものであり、装置本体１１０に対して開閉自在に取付けられている。
【００２５】
装置本体１１０の下面１１４の所定位置には、各種の操作ボタンが配置されている。図示する携帯型心電計１００においては、メモリボタン１４３、決定ボタン１４４、左スクロールボタン１４５、および右スクロールボタン１４６が配置されている。ここで、メモリボタン１４３は、携帯型心電計１００に記憶された測定結果情報を読み出す指示を入力するための操作ボタンであり、決定ボタン１４４は、メニューや各操作を実行するために用いる操作ボタンである。そして左スクロールボタン１４５および右スクロールボタン１４６は、表示部１４８に表示される測定結果のグラフやガイド情報等をスクロールして表示させるための操作ボタンである。
【００２６】
装置本体１１０の長手方向の一方端に位置する右側面１１５には、一対の測定電極のうちの一方の電極である負電極１２１と、身体の電位変化の基準となる電位を導出するための不関電極１２３とが配置されている。この右側面１１５は、後述する測定姿勢を被験者がとった際に被験者の右手の人差し指がフィットするように滑らかに湾曲した形状となっている。さらに、この右側面１１５には、上下方向に向かって延びる凹部１１５ａが形成されている。この凹部１１５ａは、被験者の右手の人差し指を受入れる形状となっている。
【００２７】
上述の負電極１２１および不関電極１２３は、導電性部材にて形成されている。また、負電極１２１および不関電極１２３は、非使用状態において、右側面１１５に設けられた凹部１１５ａ内に突出して配置され、これらの電極は、軽い力で装置本体１１０側に移動可能とされる。なお、負電極１２１は、右側面１１５の上面１１３寄りに位置しており、不関電極１２３は、右側面１１５の下面１１４寄りに位置している。
【００２８】
上記「非使用状態」とは、使用状態ではない状態をいい、「使用状態」とは、少なくとも心電波形の測定期間を含み、電源が投入されて被験者により心電波形測定のための姿勢（測定姿勢）がとられてから心電波形の測定が終了するまでの間の携帯型心電計の状態をいう。
【００２９】
また、「接触状態」とは、接触しているか否か、あるいは、接触の程度を示す。
装置本体１１０の長手方向の他方端に位置する左側面１１６には、一対の測定電極のうちの他方の電極である正電極１２２が、非使用状態において突出して配置され、負電極１２１および不関電極１２３と同様に、軽い力で装置本体１１０側に移動可能とされる。
【００３０】
（測定姿勢および測定姿勢をとった場合の電極の移動について）
次に、図３〜図５を参照して、被験者が本実施の形態に従う携帯型心電計１００を用いて心電波形を測定する姿勢、および、被験者が測定姿勢をとった場合（使用状態において良好に電極と測定部位とが接触した場合）における携帯型心電計１００の各電極の状態について説明する。
【００３１】
なお、本実施の形態において、「使用状態」とは、被験者により電源ボタン１４１が押下されてから、心電波形の測定が終了するまでの間の状態をいい、心電波形の測定期間を含む。
【００３２】
また、本実施の形態において、「測定部位」とは、測定の際に各電極１２１，１２２，１２３に接触させるべき部位（胸部，手）をいうものとする。
【００３３】
図３は、本実施の形態に従う携帯型心電計１００を用いた被験者の測定姿勢を示す斜視図である。図４は、図３に示す測定姿勢を上方から見た図である。
【００３４】
また、図５は、本発明の実施の形態１における携帯型心電計１００を正面から見た図であり、（Ａ）は、非使用状態または使用状態において測定部位と非接触となった場合の正電極１２２の状態を示す図であり、（Ｂ）は、使用状態において測定部位と接触されている場合の正電極１２２の状態を示す図である。
【００３５】
図３および図４を参照して、被験者３００は、携帯型心電計１００の装置本体１１０の一方端寄りを右手３１０で把持しつつ、装置本体１１０の他方端に位置する左側面１１６に設けられた正電極１２２を胸部３５０の左側下部に位置する第５肋間前腋窩線上の皮膚に直接接触させる。つまり、装置本体１１０は、測定の際（使用状態において）、図中矢印Ｐ方向に正電極１２２が胸部３５０に押し当てられる。
【００３６】
ここで、図５を参照して、図５（Ａ）に示す非使用状態では、正電極１２２は、装置本体１１０の左側面１１６より突出した状態であるが、図５（Ｂ）に示す使用状態においては、正電極１２２は、装置本体１１０の被験者３００の胸部３５０への押し当て方向（図中矢印Ｐ方向）とは逆の方向（図中、破線で示した矢印方向）、すなわち装置本体１１０側に移動する。
【００３７】
図５（Ａ），（Ｂ）を参照して、正電極１２２は、装置本体１１０の内部に設けられたスライダ６０に設置され、スライダ６０は、装置本体１１０の内部に移動不能に設けられたフレーム（図示せず）と、たとえばバネにより連結されている。これにより、正電極１２２は、微小な力で装置本体１１０側に移動可能とされる（押下される）。
【００３８】
なお、負電極１２１および不関電極１２３についても、正電極１２２と同様に、微小な力で装置本体１１０側に移動可能に形成されている。具体的には、負電極１２１および不関電極１２３の各々は、装置本体１１０の内部に設けられたスライダ（図示せず）に設置される。また、このスライダ（図示せず）は、装置本体１１０の内部に移動不能に設けられたフレーム（図示せず）と、たとえばバネにより連結されている。このような構成とされることで、負電極１２１および不関電極１２３は、装置本体１１０の被験者３００の胸部３５０への押し当て方向（図中矢印Ｐ方向）、すなわち装置本体１１０側にに移動する（押下される）。
【００３９】
本実施の形態において、携帯型心電計１００は、移動可能な複数の電極（以下「可動電極」という）である負電極１２１，正電極１２２，不関電極１２３が装置本体１１０側に押下されたか否かを検知するための接触検知部１７０を備え、接触検知部１７０は、各可動電極が押下されたことを検知するためのマイクロスイッチ１７１，１７２，１７３を含む。なお、本実施の形態では、可動電極それぞれにマイクロスイッチ１７１，１７２，１７３を設けることとするが、このような形態に限定されない。たとえば、いずれか１つの可動電極に設けてもよいが、少なくとも測定処理に用いられる負電極１２１および正電極１２２それぞれは、マイクロスイッチ１７１，１７２を設けることが好ましい。
【００４０】
あるいは、本実施の形態では、携帯型心電計１００に備えられる電極全てが可動電極であるものとしたが、少なくとも１つの測定電極（負電極１２１または正電極１２２）が可動電極であればよい。
【００４１】
以下、負電極１２１の接触を検知するためのマイクロスイッチ１７１を「負電極用スイッチ１７１」、正電極１２２の接触を検知するためのマイクロスイッチ１７２を「正電極用スイッチ１７２」、不関電極１２３の接触を検知するためのマイクロスイッチ１７３を「不関電極用スイッチ１７３」という。
【００４２】
図５（Ａ）に示されるように、非使用状態であるか、あるいは、使用状態において測定部位との接触状態が安定していない場合に、正電極１２２は、図示しないバネの付勢力により装置本体１１０より突出した状態となる。この場合、スライダ６０の突出部６２は正電極用スイッチ１７２に接触しないため、正電極用スイッチ１７２は非導通状態となる。
【００４３】
図５（Ｂ）に示されるように、使用状態において測定部位との接触状態が安定している場合には、正電極１２２は装置本体１１０側に押下される。そうすると、スライダ６０の端部に設けられた突出部６２が正電極用スイッチ１７２に接触する。その結果、正電極用スイッチ１７２は導通状態となる。
【００４４】
負電極用スイッチ１７１，不関電極用スイッチ１７３についても同様の原理により導通／非導通状態とされるものとする。
【００４５】
なお、本実施の形態では、各電極は、装置本体１１０側に垂直方向に移動するように設けられていることとするが、装置本体１１０側に押し下げられるものであれば、装置本体１１０に揺動可能に設けられていてもよい。
【００４６】
本実施の形態において、後に詳述するように、全てのマイクロスイッチ１７１，１７２，１７３が導通状態とされると、測定処理が開始される。そのため、測定ボタンを設ける必要がなく、被験者による操作を簡単にすることができる。
【００４７】
図３および図４に示したような測定姿勢をとることにより、携帯型心電計１００の装置本体１１０の右側面１１５に位置する負電極１２１および不関電極１２３が被験者３００の右手３１０の人差し指３１２に接触し、装置本体１１０の左側面１１６に位置する正電極１２２が被験者３００の胸部３５０に接触した状態となる。これにより、負電極１２１に接触した右手３１０、胸部３５０に非接触の前腕３２０、同じく胸部３５０に非接触の上腕３３０および右肩３４０を介して正電極１２２が取付けられた胸部３５０の順で被験者の身体に測定回路が構成されるようになる。
【００４８】
このように、負電極１２１、正電極１２２および不関電極１２３が被験者３００の身体の一部から電気信号である生体信号を検出する。
【００４９】
（機能構成について）
次に、図６を参照して、本実施の形態に従う携帯型心電計１００の機能構成について説明する。
【００５０】
図６は、本発明の実施の形態１に従う携帯型心電計１００の機能構成を示す機能ブロック図である。
【００５１】
図６を参照して、携帯型心電計１００は、負電極１２１、正電極１２２および不関電極１２３から構成される電極部１２０と、負電極用スイッチ１７１、正電極用スイッチ１７２および不関電極用スイッチ１７３を含む接触検知部１７０と、電源ボタン１４１、メニューボタン１４２、メモリボタン１４３、決定ボタン１４４、左スクロールボタン１４５、右スクロールボタン１４６から構成される操作部１４０と、表示部１４８と、電源１６０と、処理回路１５０とを備える。なお、上述したように外部記憶媒体１３２は、スロット（図示しない）に対して着脱可能に構成される。
【００５２】
処理回路１５０は、電極部１２０によって検出される生体信号（電気信号）を増幅するアンプ回路１５１と、ノイズ成分を除去するフィルタ回路１５２と、アナログ信号をデジタル信号に変換するＡ／Ｄ（Analog to Digital）コンバータ１５３と、演算処理部であるＣＰＵ（Central Processing Unit）１５４と、メモリ１５５と、計時動作を行なうタイマ１５６とを含む。
【００５３】
メモリ１５５は、ＲＯＭ（Read Only Memory）１５５ａと、ＲＡＭ（Random Access Memory）１５５ｂと、不揮発性のメモリ、たとえばフラッシュメモリ１５５ｃとを含む。
【００５４】
ＣＰＵ１５４は、操作部１４０に含まれる各種操作ボタンからの指令信号を受信し、受信した指令信号に応じた処理を実行するとともに、表示部１４８への表示制御を行なう。
【００５５】
また、ＣＰＵ１５４は、測定処理部１５４ａと、接触判別部１５４ｂと、接触情報付加部１５４ｃとをその機能として含む。なお、これらの機能は、代表的に、予めＲＯＭ１５５ａに格納されたプログラムがＣＰＵ１５４によってＲＡＭ１５５ｂに読み出されて実行されることで実現されてもよいし、少なくとも１つについてはハードウェアにより実現されてもよい。
【００５６】
測定処理部１５４ａは、心電波形の測定処理を実行する。電極部１２０によって検出される生体信号（電気信号）は、アンプ回路１５１によって増幅された後、フィルタ回路１５２でノイズ成分が除去され、さらにＡ／Ｄコンバータ１５３によって心電波形データ（デジタル信号）に変換される。測定処理部１５４ａは、Ａ／Ｄコンバータ１５３によって変換された時系列の心電波形データを受け取り、ＲＡＭ１５５ｂに記録する。また、測定処理部１５４ａは、Ａ／Ｄコンバータ１５３から出力される心電波形データに対して解析処理を実行し、心電波形データの種別情報を判別してもよい。
【００５７】
接触判別部１５４ｂは、負電極用スイッチ１７１、正電極用スイッチ１７２および不関電極用スイッチ１７３から得られる検知信号に基づき、負電極１２１、正電極１２２および不関電極１２３それぞれの被験者（の測定部位）に対する接触状態を判別する。
【００５８】
接触情報付加部１５４ｃは、測定処理部１５４ａにより測定された時系列の心電波形データと、接触判別部１５４ｂによる判別結果に基づく接触状態情報とを関連付けてフラッシュメモリ１５５ｃに格納するための処理を行なう。本実施の形態における具体的な格納処理については後述する。
【００５９】
上記接触判別部１５４ｂおよび接触情報付加部１５４ｃの具体的な処理については後に詳述する。
【００６０】
さらに、ＣＰＵ１５４は、メモリボタン１４３からの信号に基づき、ユーザからのメモリ読出しの指示（表示指示）の入力を受付けると、フラッシュメモリ１５５ｃに記憶された測定データ（心電波形データおよび接触状態情報を含む）を読み出す処理を行なう。また、読み出された心電波形データおよび接触状態情報を関連付けて表示部１４８に表示するための処理を行なう。
【００６１】
なお、図６に示した報知部１４９は、後述の変形例１における携帯型心電計１００においてさらに備えられるものとする。
【００６２】
（測定・記憶処理について）
図７は、本発明の実施の形態１における心電波形の測定・記憶処理を示すフローチャートである。図７のフローチャートに示す処理は、予めプログラムとしてＲＯＭ１５５ａに格納されており、ＣＰＵ１５４がこのプログラムを読み出して実行することにより、測定・記憶処理の機能が実現される。
【００６３】
図７を参照して、電源ボタン１４１が押下されると、まず、接触判別部１５４ｂは、接触検知部１７０からの信号に基づき電極部１２０の測定部位への接触状態を判別する（ステップＳ１）。そして、全ての電極（負電極１２１，正電極１２２，不関電極１２３）が測定部位に接触していると判別されたか否かが判断される（ステップＳ２）。
【００６４】
全ての電極が測定部位に接触していると判断されるまで、電極部１２０の接触状態が判別される（ステップＳ２においてＮＯ）。
【００６５】
全ての電極が測定部位に接触していると判断された場合、すなわち、全ての電極が装置本体１１０側に押下されていると判断された場合に（ステップＳ２においてＹＥＳ）、ステップＳ４およびステップＳ８に処理は移行される。なお、ここでは、全ての電極が押下された場合に、測定が開始されるものとするが、測定電極である負電極１２１および正電極１２２が押下されたことを条件に測定を開始することとしてもよい。
【００６６】
ステップＳ４において、測定処理部１５４ａは、心電波形の測定処理を実行する。より具体的には、アンプ回路１５１が電極部１２０によって検出された電気信号を増幅し、増幅された電気信号に対してフィルタ回路１５２がノイズの除去を行なう。そして、Ａ／Ｄコンバータ１５３がノイズの除去後の電気信号（アナログ信号）をデジタル信号に変換する。測定処理部１５４ａは、Ａ／Ｄコンバータ１５３において変換されたデジタル信号を取得し、表示部１４８にリアルタイム表示するとともに、ＲＡＭ１５５ｂに一時的に格納する（ステップＳ６）。ステップＳ６の処理が終わるとステップＳ１２に進む。
【００６７】
ステップＳ８において、接触判別部１５４ｂは、継続して、接触検知部１７０からの信号に基づき電極部１２０の測定部位への接触状態を判別する（ステップＳ８）。判別された結果は、ＲＡＭ１５５ｂに、接触状態（接触の有無）を示すフラグ（以下「接触フラグ」という）の値（１または０）として記録される（ステップＳ１０）。たとえば、接触判別部１５４ｂが、全ての電極が接触していると判断した場合、ＣＰＵ１５４は接触フラグに１をセットする。一方、接触判別部１５４ｂが、電極部１２０に含まれる電極のうち１つでも接触していない（押下されていない）と判断した場合、ＣＰＵ１５４は接触フラグに０をセットする。なお、電極部１２０に含まれる電極のうち不関電極１２３のみが非接触であると判別された場合には、測定電極（負電極１２１，正電極１２２）は測定部位に接触されているため、接触フラグに１をセットすることとしてもよい。ステップＳ１０の処理が終わるとステップＳ１２に進む。
【００６８】
ステップＳ１２において、ＣＰＵ１５４は、タイマ１５６からの計時データに基づき、ステップＳ４での心電波形の測定が開始されてから所定時間（予め定められた測定時間）が経過したか否かを判断する。所定時間経過するまで（ステップＳ１２においてＮＯ）、ステップＳ４〜Ｓ１０の処理を繰返す。したがって、ステップＳ８，Ｓ１０の接触状態判別・記録処理は、測定期間中定期的に行なわれる。本実施の形態では、この判別タイミングは、心電波形データのサンプリング周期（Ａ／Ｄ変換のタイミング）と同期している。しかしながら、サンプリング周期と同じタイミングでなくてもよく、たとえば複数回に１回のタイミングで接触状態の判別を行なってもよい。
【００６９】
測定期間中、表示部１４８には、測定された心電波形が所定時間（予め定められた表示用の時間、たとえば２秒）分だけ表示されるとともに、測定の進行によって右または左にスクロールして新たに測定された心電波形に随時更新される。また、心電波形と同一画面上に、単位時間当たりの心拍数データが表示される。さらに、本実施の形態では、ステップＳ８における電極部１２０の接触状態の判別結果の情報（ＯＫ／ＮＧ）がリアルタイムで表示されてよい。なお、測定中に表示する項目はこれに限られず、他の情報を表示するようにしてもよい。
【００７０】
ステップＳ１２において、測定が開始されてから所定時間経過したと判断された場合に（ステップＳ１２においてＹＥＳ）、ステップＳ１４に進む。
【００７１】
ステップＳ１４において、ＣＰＵ１５４は、ＲＡＭ１５５ｂに記録した心電波形データに対して解析処理を実行してもよい。より具体的には、ＣＰＵ１５４は、ＲＡＭ１５５ｂに格納した心電波形データに現れる特徴的な時間変化を抽出することで心電波形データの種別情報を判別する処理を行なってもよい。たとえば異常項目として「頻脈」、「徐脈」、「ＲＲ間隔不整」、「心休止」、「心室性期外収縮」の５種類の種別情報が判別される。なお、種別情報はこれらに限られず、他の項目を追加してもよい。また、いずれの種別にも該当しない場合には、対応する心電波形は正常と判断される。
【００７２】
ここで、上記５項目の種別について簡単に説明する。一般的に、「頻脈」とは、心拍数が１分間に１００回以上あることをいい、「徐脈」とは、心拍数が１分間に５０回以下であることをいう。「ＲＲ間隔不整」とは、Ｒ波間隔が不規則であることをいい、たとえばＲ波のリズムが崩れたり、１拍抜けたりすることをいう。「心休止」は、「ｐａｕｓｅ」とも称され、一時的に心臓が活動を停止していることをいう。「心室性期外収縮」は、「ＶＰＣ（Ventricular Premature Contraction）」とも称され、心臓の心室から発生した異所性興奮をいう。この「心室性期外収縮」は、Ｒ波ピークを形成する三角形の幅（ＱＲＳ幅）の大きさに基づいて判別される。
【００７３】
なお、この解析処理は、ステップＳ４〜Ｓ１０の処理と並行して行なわれてもよい。
ステップＳ１４の処理が終わると、接触情報付加部１５４ｃは、上述の処理によりＲＡＭ１５５ｂに記録された、複数の心電波形データそれぞれに複数の接触フラグデータ（１または０）を付加する（ステップＳ１６）。つまり、接触情報付加部１５４ｃは、時系列の心電波形データと時系列の接触フラグデータとを時間ごとに１対１で対応付ける処理を行なう。
【００７４】
ステップＳ１６の処理が終わると、接触情報付加部１５４ｃは、接触フラグデータが付加された心電波形データをフラッシュメモリ１５５ｃに格納する。
【００７５】
以上で、携帯型心電計１００における心電波形の測定・記憶処理は終了する。
（データ構造について）
次に、図８および図９を用いて、以上の測定・記憶処理によりフラッシュメモリ１５５ｃに格納される各測定データのデータ構造について説明する。
【００７６】
図８は、本実施の形態の携帯型心電計１００における各測定データのデータ構造を示す図である。図８を参照して、フラッシュメモリ１５５ｃに格納される測定データ８０Ａの各々は、一例として「ＩＤ情報」、「記録日時」、「正常・異常情報」、「波形情報」の４つのフィールド８１〜８４を含む。各フィールドの内容について概略すると、「ＩＤ情報」フィールド８１は、各測定データを特定するための識別番号などを格納し、「記録日時」フィールド８２は、各測定データの測定開始日時や測定期間などの情報を格納する。また、「正常・異常情報」フィールド８３は、上記解析処理によって判別された心電波形データの種別情報を格納する。「波形情報」フィールド８４は、接触フラグデータが付加された心電波形データを格納する。
【００７７】
図９は、測定データに含まれる波形情報フィールド８４のデータ構造を示す図である。図９を参照して、波形情報フィールド８４は、「時間データ」を格納する領域８５１と、「心電波形データ」を格納する領域８５２と、「接触フラグデータ」を格納する領域８５３とを有している。
【００７８】
領域８５１には、サンプリング周期に応じた複数の時間データ１，２，３，・・・，Ｎが格納される。領域８５２には、領域８５１の時間データそれぞれと対応付けて、心電波形データＶ（１），Ｖ（２），・・・，Ｖ（ｎ）が格納される。領域８５３には、領域８５１の時間データそれぞれと対応付けて、接触フラグデータ（１または０）が格納される。
【００７９】
これにより、時系列の複数の心電波形データそれぞれと、時系列の複数の接触フラグデータとが関連付けられる。このようにして、各心電波形データの属性が対応付けられて記憶されることになる。
【００８０】
なお、格納形態は、このような例に限定されるものではなく、各心電波形データと、その心電波形データが測定された際の接触状態（接触／非接触）を示す接触フラグデータとが関連付けられればよい。
【００８１】
（測定データの表示処理について）
次に、図１０および図１１を用いて、測定データの表示処理について説明する。
【００８２】
ユーザより測定データ読み出しの指示が入力された場合、ＣＰＵ１５４はフラッシュメモリ１５５ｃから測定データを読み出す。読出しの指示は、ユーザ所望の測定データの表示指示に対応したものであってもよいし、全測定データの表示指示に対応したものであってもよい。ＣＰＵ１５４は、読み出された測定データを表示部１４８に表示するための信号を生成する。
【００８３】
図１０は、本実施の形態に従う携帯型心電計１００の表示部１４８に表示される測定結果表示画面の一例を示す図である。
【００８４】
図１０を参照して、表示開始時点では、画面の下段部には全測定期間にわたる全体波形の縮小波形１６２が表示されて、その上段部には測定開始時からたとえば２秒間の拡大波形１６４が表示される。また縮小波形１６２の下方には測定期間の長さを示すスケールバー１６５が表示されている。スケールバー１６５上には、拡大波形１６４が測定期間のどのあたりの波形であるかを指示するためのポインタ１６６が表示される。全測定期間のどのあたりの波形を拡大波形１６４として表示するかの変更は、右スクロールボタン１４６と左スクロールボタン１４５を操作してポインタ１６６をスケールバー１６５上を移動させることにより、所定の時間単位、たとえば２秒単位で変更可能である。
【００８５】
また、画面の上段部には、測定日時とともに、接触状態情報１６８が表示される。接触状態情報１６８は、表示中の拡大波形１６４を構成する心電波形データが測定された際の接触状態を示す情報であり、たとえば、「ＯＫ」または「ＮＧ」が表示される。接触状態情報１６８の表示方法としては、たとえば、表示中の拡大波形１６４を構成する２秒分の心電波形データに対応する接触フラグデータのうち１つでも「０」（非接触）があれば「ＮＧ」を表示し、全てが「１」（接触）であれば「ＯＫ」を表示することとする。
【００８６】
なお、表示されている拡大波形１６４と、その拡大波形１６４を構成する心電波形データが測定された際の接触状態情報とが関連付けられて表示されれば、このような表示方法に限定されるものではない。たとえば、表示中の拡大波形１６４のうち、接触フラグデータ「０」と対応付けられた心電波形データに対応する部分を、接触フラグデータ「１」と対応付けられた心電波形データに対応する部分と異なる表示態様で表示することとしてもよい。たとえば、前者を破線で示し、後者を実線で示すこととしてよい。あるいは、前者を黒色で示し、後者を赤色で示すこととしてもよい。
【００８７】
このように、本実施の形態によると、測定のあとで心電波形データを表示する場合、その属性である接触状態情報が関連付けられて表示されるため、表示中の心電波形が測定されたときの電極部１２０と測定部位との接触状態を知ることができる。その結果、表示されている心電波形の信頼性を判断することができる。したがって、波形が乱れていた場合に、その乱れが接触状態の不良を原因とするものか否かを把握することができ、診断に役立つ情報を提供することができる。
【００８８】
被験者が図１０の画面で心電波形を確認した後、決定ボタン１４４を押下すると、ＣＰＵ１５４は表示中の心電波形に対応の解析種別データをフラッシュメモリ１５５ｃから読出して、メッセージに編集し、編集したメッセージを表示部１４８にたとえば図１１のように表示してもよい。図１１では、表示部１４８に、「波形に乱れはないようです。」と示されたメッセージ１６７と、「６０拍／分」と示された単位時間当たりの心拍数のデータ１６３とが表示されている。また、図１０の画面と同様に、画面の上段部には、測定日時とともに、接触状態情報１６８が表示される。したがって、接触状態情報を確認することで、表示されているメッセージの信頼性の高さを推定することが可能となる。
【００８９】
なお、本実施の形態において、接触検知部１７０は、３つのマイクロスイッチ１７１，１７２，１７３を含むものとしたが、これらに限定されるものではない。たとえば、電極部１２０の各電極の押下の有無を検知するための近接センサ、タッチセンサ、光電スイッチ、距離センサ、および荷重センサのうちのいずれかを含んでいてもよい。
【００９０】
または、接触検知部１７０は、３つのマイクロスイッチ１７１，１７２，１７３に代えて、電極部１２０の各電極の押下のレベルを検知するための圧力センサなどを含んでもよい。このようなセンサを設ける場合、接触判別部１５４ｂは、接触状態として接触レベル（たとえば、レベル０，１，・・・，５）を判別することとしてもよい。この場合、接触判別部１５４ｂは、接触検知部１７０が含むセンサからの信号に基づいて、各電極の接触レベルを判別する。接触レベルは、たとえば、予めＲＯＭ１５５ａに記憶された対応テーブル（センサの出力に基づく値の範囲とレベルの値とが対応付けられたテーブル）に基づき判別されてよい。この場合、判別された接触レベルの値が接触フラグデータの代わりに格納される。また、このような接触レベルが表示されてもよい。また、このように接触レベルが判別される場合、各電極についての接触レベルが所定のレベル以上になったと判断した場合に、測定を開始することとしてよい。
【００９１】
あるいは、接触判別部１５４ｂは、接触検知部１７０が含むセンサの出力に基づく値が、所定の閾値以上であれば「接触」、所定の閾値未満であれば「非接触」と判別することとしてもよい。
【００９２】
また、本実施の形態では、接触判別部１５４ｂにより各電極が測定部位に接触していると判別された場合に、自動的に測定が開始される。したがって、図３および図４で示した携帯型心電計１００の測定姿勢において、被験者３００は、親指３１１で測定開始のためのボタンを押す必要がない。そのため、メニューボタン１４２をたとえば装置本体１１０の下面１１４に配置することで、表示部１４８の表示領域を広くとることもできる。
【００９３】
上述のように、本実施の形態によると、電極部１２０と測定部位との接触状態が悪くなったとしても、それを理由として測定を終了したり心電波形データを破棄したりせずに、接触状態情報とともにフラッシュメモリ１５５ｃに格納される。したがって、たとえば心臓の発作時には接触状態を良好に（一定に）保つことは困難であるが、本実施の形態によると、接触状態情報とともに心電波形データが確実に記録される。そのため、発作時に測定された心電波形データを後日専門医等に提示する際、接触状態情報も関連付けて提示することができる。その結果、専門医等は、発作時に測定された心電波形データそれぞれにおける各電極と生体との接触状態を確認することができる。これにより、接触状態情報を手がかりに信頼性のある部分とそうでない部分とを認識することができ、診断等に役立つ有用な心臓の情報を得ることができる。
【００９４】
（変形例１）
次に、本発明の実施の形態１の変形例１について説明する。
【００９５】
変形例１では、携帯型心電計１００は、接触判別部１５４ｂにより非接触と判別された場合に、電極部１２０と測定部位とが非接触である旨報知する機能をさらに備える。他は上記実施の形態１と同様である。
【００９６】
変形例１において、携帯型心電計１００は、上述の図６で示すように、報知部１４９をさらに備える。報知部１４９は、外部に、たとえば、光を出力するものとするが、振動や音を出力するものであってもよい。
【００９７】
ＣＰＵ１５４は、接触判別部１５４ｂにより非接触と判別された場合に、報知部１４９に光を出力させる。
【００９８】
図１２は、本発明の実施の形態１の変形例１における心電波形の測定・記憶処理を示すフローチャートである。図１２のフローチャートに示す処理は、予めプログラムとしてＲＯＭ１５５ａに格納されており、ＣＰＵ１５４がこのプログラムを読み出して実行することにより、測定・記憶処理の機能が実現される。なお、図７に示した処理と同じ処理については同じステップ番号を付してある。そのためここではそれらの説明は繰返さない。
【００９９】
図１２を参照して、本実施の形態の変形例１では、ステップＳ１０とステップＳ１２との間に、ステップＳ１１１およびＳ１１２の処理が追加される。
【０１００】
ステップＳ１１１では、ステップＳ１０で記録された接触フラグの値が「１」であるか否かが判断される。つまり、ステップＳ８で判別された接触状態が、「接触」であったか否かが判断される。その結果、「接触」であると判断された場合（ステップＳ１１１でＹＥＳ）、ステップＳ１２に進む。一方、「非接触」であると判断された場合（ステップＳ１１１でＮＯ）、ステップＳ１１２に進む。
【０１０１】
ステップＳ１１２において、ＣＰＵ１５４は、報知部１４９により光を出力することで、非接触である旨報知する処理を行なう。ステップＳ１１２の処理が終わるとステップＳ１２に進む。
【０１０２】
このように、変形例１では、測定期間中、非接触と判別された場合にその旨被験者に報知される。したがって、被験者は、電極部１２０との接触状態を良好に復帰させるために姿勢を整えることができる。これにより、少しの期間、接触状態が悪くなったとしてもすぐに接触状態を良好に戻すことができる。
【０１０３】
（変形例２）
次に、本発明の実施の形態１の変形例２について説明する。
【０１０４】
上述の実施の形態１およびその変形例１では、測定された複数の心電波形データそれぞれに対応付けて複数の接触フラグデータをフラッシュメモリ１５５ｃに格納するものであった。
【０１０５】
これに対し、変形例２では、測定データのデータ量を少なくするために、測定された複数の心電波形データと対応付けて１つの接触フラグデータをフラッシュメモリ１５５ｃに格納する。その他は、実施の形態１と同様である。
【０１０６】
図１３は、本発明の実施の形態１の変形例２における心電波形の測定・記憶処理を示すフローチャートである。図１３のフローチャートに示す処理は、予めプログラムとしてＲＯＭ１５５ａに格納されており、ＣＰＵ１５４がこのプログラムを読み出して実行することにより、測定・記憶処理の機能が実現される。なお、図７に示した処理と同じ処理については同じステップ番号を付してある。そのためここではそれらの説明は繰返さない。
【０１０７】
図１３を参照して、本実施の形態の変形例２では、ステップＳ１４とステップＳ１８との間に、ステップＳ１６１〜Ｓ１６３の処理が追加される。
【０１０８】
ステップＳ１６１において、ＣＰＵ１５４は、ステップＳ１０でＲＡＭ１５５ｂに記録された接触フラグデータを参照して、接触フラグの値が「０」のデータが存在するか否かを判断する。つまり、測定期間中、一度でも非接触と判別されたか否かが判断される。
【０１０９】
一度も非接触と判別されなかった場合（ステップＳ１６１でＮＯ）、複数の心電波形データに、接触フラグデータ「１」を付加する（ステップＳ１６２）。一方、一度でも非接触と判別された場合（ステップＳ１６１でＹＥＳ）、複数の心電波形データに、接触フラグデータ「０」を付加する（ステップＳ１６３）。
【０１１０】
なお、ここでは、１つでも接触フラグの値が「０」のデータが存在すれば非接触を示すデータを測定データに含めることとしたが、所定数（たとえば２秒分に相当する数）以上、接触フラグの値が「０」のデータが存在すれば非接触を示すデータを測定データに含めることとしてもよい。
【０１１１】
変形例２における測定データのデータ構造を図１４に示す。
図１４は、本実施の形態の変形例２の携帯型心電計１００における各測定データのデータ構造を示す図である。図１４を参照して、フラッシュメモリ１５５ｃに格納される測定データ８０Ｂの各々は、実施の形態１に示した「ＩＤ情報」フィールド８１、「記録日時」フィールド８２および「正常・異常情報」フィールド８３に加え、「電極接触情報」フィールド８６を含む。また、実施の形態１の「波形情報」フィールド８４に代えて、「心電波形データ」フィールド８７を含む。
【０１１２】
「心電波形データ」フィールド８７には、時系列の複数の心電波形データＶ（１），Ｖ（２），・・・，Ｖ（ｎ）が格納される。
【０１１３】
「電極接触情報」フィールド８６には、ステップＳ１６２またはＳ１６３で付加された接触フラグの値（０または１）が１つ格納される。
【０１１４】
このような構成とすることにより、フラッシュメモリ１５５ｃの容量を少なくすることができる。
【０１１５】
また、本変形例においても、測定データが表示部１４８に表示される際、「電極接触情報」フィールド８６の値に基づく接触状態情報も関連付けて表示する。その結果、専門医等は、測定期間中ずっと各電極と測定部位との接触状態が良好であったか否かを把握することができる。なお、本変形例における測定結果表示画面も、図１０および図１１に示した画面と同様とすることができる。
【０１１６】
［実施の形態２］
上述の本発明の実施の形態１およびその変形例１，２では、フラッシュメモリ１５５ｃに記憶された測定データ（心電波形情報と、心電波形情報と関連付けられた接触状態情報とを含む）は、携帯型心電計１００が備える表示部１４８に出力されるものとしたが、外部に出力されてもよい。たとえば、測定データを着脱可能な外部記憶媒体１３２に格納し、この外部記憶媒体１３２が病院等に設置された表示装置に装着されて、携帯型心電計１００によって測定された測定データが表示装置に転送（出力）されてもよい。このような場合を実施の形態２として以下に説明する。
【０１１７】
図１５は、本発明の実施の形態２に従う生体波形表示システムの代表例である心電波形表示システムＳＹＳの概略構成図である。
【０１１８】
図１５を参照して、心電波形表示システムＳＹＳは、実施の形態１において説明した携帯型心電計１００と、表示装置２００とを備える。
【０１１９】
表示装置２００は、外部記憶媒体１３２に格納された測定データを受入れて、その測定データに基づく心電波形をモニタ部２２０に表示する。なお、本実施の形態において外部記憶媒体１３２に格納される測定データは、図８に示したデータ構造を有しているものとして説明する。
【０１２０】
表示装置２００は、代表的にコンピュータによって構成され、ＦＤ（Flexible Disk）駆動装置２１４およびＣＤ−ＲＯＭ（Compact Disk-Read Only Memory)駆動装置２１５を備えたコンピュータ本体２１０と、キーボード２３０と、マウス２４０とをさらに含む。
【０１２１】
図１６は、本実施の形態に従う表示装置２００を構成するコンピュータのハードウェア構成を示す概略構成図である。
【０１２２】
図１６を参照して、コンピュータ本体２１０は、図１５に示すＦＤ駆動装置２１４およびＣＤ−ＲＯＭ駆動装置２１５に加えて、相互にバスで接続された、演算装置であるＣＰＵ（Central Processing Unit）２１１と、メモリ２１２と、記憶装置である固定ディスク２１３と、インターフェイス部２１６とを含む。
【０１２３】
ＦＤ駆動装置２１４にはＦＤ２１４ａが装着され、ＣＤ−ＲＯＭ駆動装置２１５にはＣＤ−ＲＯＭ２１５ａが装着される。本実施の形態に従う表示装置２００は、ＣＰＵ２１１がメモリ２１２などのコンピュータハードウェアを用いて、ソフトウェアを実行することで実現される。一般的に、このようなソフトウェアは、ＦＤ２１４ａやＣＤ−ＲＯＭ２１５ａなどの記録媒体に格納されて、またはネットワークなどを介して流通する。そして、このようなソフトウェアは、ＦＤ駆動装置２１４やＣＤ−ＲＯＭ駆動装置２１５などにより記録媒体から読取られて、または通信インターフェイス（図示しない）にて受信されて、固定ディスク２１３に格納される。さらに、固定ディスク２１３からメモリ２１２に読出されて、ＣＰＵ２１１により実行される。
【０１２４】
モニタ部２２０は、ＣＰＵ２１１が出力する生体波形などの情報を表示するための表示部であって、一例としてＬＣＤ（Liquid Crystal Display）やＣＲＴ（Cathode Ray Tube）などから構成される。マウス２４０は、クリックやスライドなどの動作に応じたユーザ（代表的に、専門医などの診断実施者）からの指令を受付ける。キーボード２３０は、入力されるキーに応じたユーザから指令を受付ける。ＣＰＵ２１１は、プログラムされた命令を順次実行することで、各種の演算を実施する演算処理部である。メモリ２１２は、ＣＰＵ２１１のプログラム実行に応じて各種の情報を記憶する。インターフェイス部２１６は、携帯型心電計１００による心電波形の測定結果を示す測定データを受取るための部位であり、本実施の形態においては外部記憶媒体１３２を装着可能なスロットおよびそのスロットを制御する周辺回路などから構成される。なお、外部記憶媒体１３２を装着可能なスロットに代えて、携帯型心電計１００とデータ通信可能な通信インターフェイス部として構成してもよい。固定ディスク２１３は、ＣＰＵ２１１が実行するプログラムや、携帯型心電計１００から受取った接触状態情報が対応付けられた心電波形情報（測定データ）を格納する不揮発性の記憶装置である。また、表示装置２００には、必要に応じてプリンタなどの他の出力装置が接続されてもよい。
【０１２５】
ＣＰＵ２１１は、固定ディスク２１３に格納した測定データをモニタ２２０に表示するための制御を行なう。測定データには、図８に示したように、各心電波形データと対応付けられた接触フラグデータが含まれている。したがって、表示装置２００のモニタ部２２０においても、心電波形データと関連付けて接触状態を示す情報が表示される。
【０１２６】
図１７は、本実施の形態の心電波形表示システムＳＹＳにおける表示装置２００のモニタ部２２０に表示される心電波形表示画面９０の表示例を示す図である。
【０１２７】
図１７を参照して、ＣＰＵ２１１は、たとえば、４つの心電波形９１〜９４を含む心電波形表示画面９０を測定日時（記録日時）の順にモニタ部２２０に表示させる。これらの心電波形９１〜９４は、対応する測定データ８０Ａの「波形情報」フィールド８４の領域８５２（図９）に格納されている心電波形データをプロットすることで描画される。なお、心電波形９１〜９４の各々の時間軸は同一スケールであることが望ましい。
【０１２８】
なお、ＣＰＵ２１１は、心電波形データをプロットする際に、各心電波形データと対応付けられた接触フラグデータの値に基づいて、表示態様を変更する処理を行なう。つまり、携帯型心電計１００の表示部１４８に測定結果が表示される場合と同様に、ＣＰＵ２１１は、接触フラグデータ「０」と対応付けられた心電波形データに対応する部分を、接触フラグデータ「１」と対応付けられた心電波形データに対応する部分と異なる表示態様で表示する処理を行なう。図１７においては、前者を破線で示し、後者を実線で示された例が示されている。なお、表示態様はこのような例に限定されず、前者を黒色で示し、後者を赤色で示すこととしてもよい。
【０１２９】
このように、本実施の形態では、表示装置２００のモニタ部２２０において、心電波形とその心電波形の測定の際の電極部１２０の接触状態を示す情報が関連付けられて表示される。そのため、専門医は、表示されている心電波形９１〜９４それぞれにおいて、信頼できる部分と信頼できない部分とを把握することができる。したがって、波形が乱れていたとしても、その乱れが接触状態の不良を原因とするものか否かを把握することができ、診断に役立つ情報を提供することができる。
【０１３０】
なお、上述のように、本実施の形態では、外部記憶媒体１３２には図８に示したデータ構造を有する測定データが記録されているものとして説明したが、実施の形態１の変形例２の図１４に示したデータ構造を有する測定データが記録されていてもよい。そのような場合、ＣＰＵ２１１は、心電波形９１〜９４それぞれに対応させて、所定の領域に心電波形９１〜９４の測定の際の電極部１２０と測定部位との接触状態を示す情報（接触／非接触、あるいは、接触レベル）を表示させる。各領域に表示される情報は、対応する測定データ８０Ｂの「電極接触情報」フィールド８６に格納されているデータに基づいて表示される。なお、このような表示態様に限定されるものではなく、各心電波形９１〜９４と接触状態の情報とが関連付けられて表示されればよい。たとえば、心電波形９１〜９４の表示態様を、「電極接触情報」フィールド８６の値が「１」（測定期間中、安定的に接触）であれば、波形を実線で示し、そうでなければ（測定期間中、安定的に接触でなければ）、波形全体を破線で示すこととしてもよい。
【０１３１】
また、このような場合、携帯型心電計１００において上述したような解析処理（ステップＳ１４）が実行されない場合には、表示装置２００上で、「電極接触情報」フィールド８６の値が「１」の心電波形データのみを解析することもできる。
【０１３２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１３３】
【図１】本発明の各実施の形態および各変形例に従う携帯型心電計の概略斜視図である。
【図２】本発明の各実施の形態および各変形例に従う携帯型心電計の概略斜視図である。
【図３】本発明の各実施の形態および各変形例に従う携帯型心電計を用いた被験者の測定姿勢を示す斜視図である。
【図４】本発明の各実施の形態および各変形例に従う携帯型心電計を用いた被験者の測定姿勢を情報から見た図である。
【図５】本発明の各実施の形態および各変形例における携帯型心電計を正面から見た図であり、（Ａ）は、非使用状態または使用状態において測定部位と非接触となった場合の正電極１２２の状態を示す図であり、（Ｂ）は、使用状態において測定部位と接触されている場合の正電極１２２の状態を示す図である。
【図６】本発明の各実施の形態および各変形例に従う携帯型心電計の機能構成を示す機能ブロック図である。
【図７】本発明の実施の形態１における心電波形の測定・記憶処理を示すフローチャートである。
【図８】本発明の実施の形態１および変形例１の携帯型心電計における各測定データのデータ構造を示す図である。
【図９】図８に示した測定データに含まれる波形情報フィールドのデータ構造を示す図である。
【図１０】本発明の各実施の形態および各変形例に従う携帯型心電計の表示部に表示される測定結果表示画面の一例を示す図である。
【図１１】本発明の各実施の形態および各変形例に従う携帯型心電計の表示部に表示されるメッセージの一例を示す図である。
【図１２】本発明の実施の形態１の変形例１における心電波形の測定・記憶処理を示すフローチャートである。
【図１３】本発明の実施の形態１の変形例２における心電波形の測定・記憶処理を示すフローチャートである。
【図１４】本発明の実施の形態１の変形例２の携帯型心電計における各測定データのデータ構造を示す図である。
【図１５】本発明の実施の形態２に従う生体波形表示システムの代表例である心電波形表示システムの概略構成図である。
【図１６】本発明の実施の形態２に従う表示装置を構成するコンピュータのハードウェア構成を示す概略構成図である。
【図１７】本発明の実施の形態２の心電波形表示システムにおける表示装置のモニタ部に表示される心電波形表示画面の表示例を示す図である。
【符号の説明】
【０１３４】
６０  スライダ、６２  突出部、８０Ａ，８０Ｂ  測定データ、１００  携帯型心電計、１１０  装置本体、１１１  正面、１１３  上面、１１４  下面、１１５  右側面、１１５ａ  凹部、１１６  左側面、１２０  電極部、１２１  負電極、１２２  正電極、１２３  不関電極、１３０  開閉カバー、１３２  外部記憶媒体、１４０  操作部、１４１  電源ボタン、１４２  メニューボタン、１４３  メモリボタン、１４４  決定ボタン、１４５  左スクロールボタン、１４６  右スクロールボタン、１４８  表示部、１４９  報知部、１５０  処理回路、１５１  アンプ回路、１５２  フィルタ回路、１５３  Ａ／Ｄコンバータ、１５４  ＣＰＵ、１５４ａ  測定処理部、１５４ｂ  接触判別部、１５４ｃ  接触情報付加部、１５５  メモリ、１５５ａ  ＲＯＭ、１５５ｂ  ＲＡＭ、１５５ｃ  フラッシュメモリ、１５６  タイマ、１６０  電源、１７０  接触検知部、１７１  負電極用スイッチ、１７２  正電極用スイッチ、１７３  不関電極用スイッチ、２１０  コンピュータ本体、２１１  ＣＰＵ、２１２  メモリ、２１３  固定ディスク、２１４  ＦＤ駆動装置、２１５  ＣＤ−ＲＯＭ駆動装置、２１６  インターフェイス部、２２０  モニタ部、２３０  キーボード、２４０  マウス、３００  被験者、３１０  右手、３１１  親指、３１２  指、３２０  前腕、３３０  上腕、３４０  右肩、３５０  胸部。
【図１】
2009118999.tif 000003
【図２】
2009118999.tif 000004
【図３】
2009118999.tif 000005
【図４】
2009118999.tif 000006
【図５】
2009118999.tif 000007
【図６】
2009118999.tif 000008
【図７】
2009118999.tif 000009
【図８】
2009118999.tif 000010
【図９】
2009118999.tif 000011
【図１０】
2009118999.tif 000012
【図１１】
2009118999.tif 000013
【図１２】
2009118999.tif 000014
【図１３】
2009118999.tif 000015
【図１４】
2009118999.tif 000016
【図１５】
2009118999.tif 000017
【図１６】
2009118999.tif 000018
【図１７】
2009118999.tif 000019